(57)【要約】【課題】  無端ベルト６を巻掛けした複数のプーリのうち一つのプーリ、又は、前記無端ベルトに接触したテンション用プーリを、アジャスタブラケット８に設けたガイド部１０にて前記無端ベルトにおける張力を強めたり弱めたりする方向に移動するように構成して、このプーリを、前記アジャスタブラケット８に設けたボルト挿通部１３と前記プーリとの間に装架したアジャストボルト１５を回すことで前記ガイド部に沿って移動するように構成して成る張力調節装置において、前記ベルトに前記アジャスタボルトの締め付けにて張力を付与する場合に、前記無端ベルトの張力が過度に高くなることを、至極簡単な構成で確実に防止する。【解決手段】  前記アジャスタブラケット８に、前記アジャスタボルト１５の締め付けに際して前記無端ベルトにおける張力が所定値を越えたとき、前記ボルト挿通部１３が前記無端ベルトの張力を緩める方向に変位する塑性変形部を設ける。【選択図】                        図１
2005344812.tif 000002
【特許請求の範囲】
【請求項１】
無端ベルトを巻掛けした複数のプーリのうち一つのプーリ、又は、前記無端ベルトに接触したテンション用プーリを、アジャスタブラケットに設けたガイド部にて前記無端ベルトにおける張力を強めたり弱めたりする方向に移動するように構成して、このプーリを、前記アジャスタブラケットに設けたボルト挿通部と前記プーリとの間に装架したアジャストボルトを回すことで前記ガイド部に沿って移動するように構成して成る張力調節装置において、
前記アジャスタブラケットのうち前記ガイド部と前記ボルト挿通部との間の部分に、前記アジャスタボルトの締め付けに際して前記無端ベルトにおける張力が所定値を越えたとき、前記ボルト挿通部が前記無端ベルトの張力を緩める方向に変位する塑性変形部を設けることを特徴とする無端ベルトの張力調節装置。
【請求項２】
前記請求項１の記載において、前記ボルト挿通部を、前記アジャスタブラケットの一端部を直角に屈曲した形態にして、その屈曲部に、前記塑性変形部を設けることを特徴とする無端ベルトの張力調節装置。
【発明の詳細な説明】
【技術分野】
【０００１】
本発明は、内燃機関等において、複数のプーリに巻掛けした無端ベルトの張力を調節するための装置に関するものである。
【背景技術】
【０００２】
従来におけるこの種の張力調節装置は、良く知られているように、無端ベルトを巻掛けした複数のプーリのうち一つのプーリ、又は、前記無端ベルトに接触しテンション用プーリを、アジャスタブラケットに設けたガイド部にて前記無端ベルトにおける張力を強めたり弱めたりする方向に移動するように構成して、このプーリを、前記アジャスタブラケットに設けたボルト挿通部と前記プーリとの間に装架したアジャストボルトを回すことで前記ガイド部に沿って移動することによって、前記無端ベルトの張力を調節するように構成している。
【０００３】
しかし、この従来における張力調節装置は、無端ベルトの張力を、前記したように、アジャストボルトを回すことによる締め付けにて行うものであることにより、このアジャストボルトの締め付けに際して、前記無端ベルトに付与する張力が、当該無端ベルト及び／又は各プーリの軸受け等における強度の限界を越えるという過度の締め付けを発生するおそれが大きかった。
【０００４】
また、特許文献１には、前記アジャスタブラケットにおけるガイド部であるところのガイド孔を、前記ボルト挿通部にまで延長するという構成しているが、この特許文献１には、前記アジャスタブラケット及び前記ボルト挿通部を塑性変形することは一切記載されていないから、強度の限界を越えるという過度の締め付けを防止することはできない。
【０００５】
そこで、先行技術としての特許文献２は、前記アジャストボルトにおける途中部分に、当該アジャストボルトにおける締め付けトルクが所定値を越えると、当該アジャストボルトう空転するようにしたクラッチ機構を設けることによって、前記アジャストボルトにおける過度の締め付けを回避することを提案している。
【０００６】
また、別の特許文献３には、前記アジャスタブラケットのうち、当該アジャスタブラケットを内燃機関等に取付けするための基端部と、ガイド部との間の部位に薄肉部を設けることを提案しており、この構成によると、アジャストボルトにおける締め付け中に、その締め付けトルクが所定値を越えたとき、前記薄肉部が塑性変形するから、前記アジャストボルトにおける過度の締め付けを回避することができる。
【特許文献１】特開２００３−２１２０３号公報
【特許文献２】実開昭６０−５１３４４号公報
【特許文献３】特開平９−１１９３１８号公報
【発明の開示】
【発明が解決しようとする課題】
【０００７】
しかし、前記特許文献２は、前記アジャストボルトにクラッチ機構を設けることにより、構造が複雑で、且つ、部品点数が多くなるから、製造価格が大幅にアップするばかりか、大型化及び重量のアップを招来するという問題があった。
【０００８】
しかも、前記特許文献２によると、アジャストボルトの締め付け作業中に、そのクラッチ機構が外れた時点において、当該アジャストボルトに対する締め付けトルクが急激に低下するから、作業者が不安感又は違和感を覚えるおそれも大きかった。
【０００９】
一方、特許文献３によると、アジャストボルトにおける薄肉部の塑性変形により、過度の締め付けは回避できるものの、前記アジャストボルトのうちガイド部にてガイドされるプーリにおける他のプーリに対する相対位置が、前記薄肉部の塑性変形によって変位するから、これらプーリに巻掛けされる無端ベルトがプーリから外れる事態を招来するという問題があった。
【００１０】
本発明は、前記アジャストボルトにおける過度の締め付けを、至極簡単な機構によって回避できるようにした張力調節装置を提供することを技術的課題とするものである。
【課題を解決するための手段】
【００１１】
この技術的課題を達成するため本発明の請求項１は、
「無端ベルトを巻掛けした複数のプーリのうち一つのプーリ、又は、前記無端ベルトに接触したテンション用プーリを、アジャスタブラケットに設けたガイド部にて前記無端ベルトにおける張力を強めたり弱めたりする方向に移動するように構成して、このプーリを、前記アジャスタブラケットに設けたボルト挿通部と前記プーリとの間に装架したアジャストボルトを回すことで前記ガイド部に沿って移動するように構成して成る張力調節装置において、
前記アジャスタブラケットのうち前記ガイド部と前記ボルト挿通部との間の部分に、前記アジャスタボルトの締め付けに際して前記無端ベルトにおける張力が所定値を越えたとき、前記ボルト挿通部が前記無端ベルトの張力を緩める方向に変位する塑性変形部を設ける。」
ことを特徴としている。
【００１２】
また、本発明の請求項２は、
「前記請求項１の記載において、前記ボルト挿通部を、前記アジャスタブラケットの一端部を直角に屈曲した部分の先端に設ける一方、前記屈曲部に、前記塑性変形部を設ける。」
ことを特徴としている。
【発明の効果】
【００１３】
前記無端ベルトを、前記アジャスタボルトの締め付けにて張力に付与するに際して、前記無端ベルトにおける張力が所定値を越えると、前記アジャスタブラケットが、当該アジャスタブラケットにおける塑性変形部において、ボルト挿通部が無端ベルトの張力を緩める方向に変位するように塑性変形することになる。
【００１４】
従って、前記アジャスタボルトを締め付ける作業者は、前記塑性変形が発生した時点で、その締め付けを止めれば良く、しかも、前記アジャスタボルトの締め付けによる前記無端ベルトにおける張力の増加率は、前記塑性変形により、この塑性変形が起こる前よりも下がることになるから、前記無端ベルトにおける張力が過度に高くなることを、前記アジャスタブラケットに塑性変形部を設けるだけという至極簡単な構成で、大型化及び重量のアップを招来することなく、確実に防止することができるのである。
【００１５】
しかも、前記アジャスタボルトにおける締め付けトルクは、前記変形の前後において大きく変化することがないから、作業者に与える不安感又は違和感を僅少にできるのである。
【００１６】
その上、前記ボルト挿通部が無端ベルトの張力を緩める方向に変位するように塑性変形する箇所は、アジャスタブラケットのうち前記ガイド部と前記ボルト挿通部との間における塑性変形部であって、前記ガイド部においてガイドされるプーリにおける他のプーリに対する相対位置は一切変位しないから、無端ベルトがプーリから外れる事態を招来することもないのである。
【００１７】
特に、請求項２に記載した構成にすることにより、前記した効果を、より簡単な構成によって達成できる利点がある。
【発明を実施するための最良の形態】
【００１８】
以下、本発明の実施の形態を図面について説明する。
【００１９】
図１〜図３は、第１の実施の形態であり、この第１の実施の形態は、内燃機関１におけるクランク軸２の回転を、オルタネータ３等のエンジン補機に伝達するにおいて、前記クランク軸２上の出力用プーリ４と、前記オルタネータ３における入力用プーリ５との間に巻掛けした無端ベルト６に対して適用した場合である。
【００２０】
この第１の実施の形態において、前記オルタネータ３は、前記内燃機関１に対して、その上面から上向きに突出したアーム３ａの上端においてピン軸７にて回転可能に枢着されている。
【００２１】
前記内燃機関１には、前記オルタネータ３の下側を通って横向きに延びる金属板製のアジャスタブラケット８が固定用ボルト９の締結にて固着され、このアジャスタブラケット８には、前記無端ベルト６を巻掛けした複数個のプーリのうち一つのプーリ５を無端ベルト６における張力を強めたり弱めたりする方向に移動するためのガイド部であるところの長い溝状のガイド孔１０が、前記ピン軸７を中心とする円弧状に延びるように穿設されている。
【００２２】
前記オルタネータ３の下面から下向きに突出するアーム１１は、前記アジャスタブラケット８に対して、当該アジャスタブラケット８におけるガイド孔１０内にその長手方向に移動自在に挿入したボルト１２にて締結するように構成されている。
【００２３】
また、前記アジャスタブラケット８の先端部には、その一部を直角に折り曲げて成るボルト挿通部１３が設けられ、このボルト挿通部１３におけるボルト孔１４内には、頭付きアジャスタボルト１５が、当該アジャスタボルト１５が前記固定用ボルト１２に取付けたナット部材１６に螺合するように挿入され、このアジャスタボルト１５の締め付けにより、前記オルタネータ３、ひいては、このオルタネータ３における入力用プーリ５が前記クランク軸２における出力用プーリ４から離れる方向に移動して、その間に巻掛けした前記無端ベルト６を緊張するように、換言すると、前記無端ベルト６に張力を付与するように構成されている。
【００２４】
そして、前記アジャスタブラケット８のうち前記ガイド孔１０と前記ボルト挿通部１３との間において直角に折り曲げる屈曲部１７には、抜き孔１８を穿設して、当該屈曲部１７における強度を部分的に弱くすることにより、前記アジャスタボルト１５を締め付けるに際して、前記無端ベルト６における張力が所定値を越えたとき、前記アジャスタブラケット８が、前記屈曲部１７において、図２に二点鎖線で示すように、前記ボルト挿通部１３が前記固定用ボルト９に近づく方向に、換言すると、前記無端ベルト６における張力を緩める位置に変位するように塑性変形するように構成する。
【００２５】
この構成によると、前記アジャスタボルト１５の締め付けに際して、前記無端ベルト６における張力が所定値を越えたとき、前記アジャスタブラケット８が、前記屈曲部１７において、図２に二点鎖線で示すように、前記ボルト挿通部１３が前記固定用ボルト９の方向、つまり、前記無端ベルト６における張力を緩める位置に変位するように塑性変形する。
【００２６】
この塑性変形が発生した時点で、作業者は、前記アジャスタボルト１５の締め付け作業を止めれば良く、しかも、前記アジャスタボルト１５の締め付けによる前記無端ベルト６における張力の増加率は、前記した塑性変形により、この塑性変形が起こる前よりも下がることになる。
【００２７】
その上、前記アジャスタブラケット８におけるガイド孔１０に沿ってガイドされるプーリ５における他のプーリ４に対する相対位置は、前記塑性変形によって変位することがない。
【００２８】
なお、前記無端ベルト６における張力の調節作業は、前記固定用ボルト１２を緩めた状態で行い、調節後において、前記固定用ボルト１２を強く締め付けてプーリ５が動くことがないように固定する。
【００２９】
前記第１の実施の形態は、前記屈曲部１７における強度を、抜き孔１８の穿設にて弱くして、この部分において塑性変形するように構成した場合であったが、本発明は、これに限らず、前記屈曲部１７の部分のみを部分的に薄肉にして、その強度を弱めることにより、その部分において塑性変形するように構成しても良い。
【００３０】
また、図４に示す第２の実施の形態のように、前記直角に折り曲げる屈曲部を、ループ状の屈曲部１７′にして、この部分において塑性変形するように構成することもできる。      
【００３１】
更にまた、図５に示す第３の実施の形態のように、前記アジャスタブラケット８のうち前記ガイド孔１０と前記屈曲部１７との間の部分、或いは、図６に示す第４の実施の形態のように、前記アジャスタブラケット８のうち前記屈曲部１７と前記ボルト挿通部１３との間の部分に、溝１９，２０を設けて部分的に薄肉にするか、或いは抜き孔を穿設する等によって強度を弱くして、この部分において塑性変形するように構成しても良い。
【００３２】
次に、図７は、第５の実施の形態を示す。
【００３３】
この第５の実施の形態は、前記アジャスタボルト１５が貫通するボルト挿通部１３′を、アジャスタブラケット８′と別体にして、このボルト挿通部１３′を、前記アジャスタブラケット８′に対して、ねじ軸２１にて、当該ねじ軸２１の軸線の回りに回転するように取付けたものであり、この場合には、前記アジャスタブラケット８′のうち前記ボルト挿通部１３′に隣接する部分に、溝２２を設けて部分的に薄肉にするか、或いは抜き孔を穿設する等によって強度を弱くして、この部分において塑性変形するように構成することにより、前記と同様に効果を得ることができる。
【００３４】
なお、前記実施の形態は、内燃機関におけるクランク軸２からオルタネータ３に動力伝達するための無端ベルト６に対して適用した場合であったが、本発明は、これに限らず、無端ベルトを巻掛けした複数のプーリのうち一つのプーリ、又は、前記無端ベルトに接触したテンション用プーリを、前記固定用ボルト９に直接取付けて、これらのプーリを、前記アジャスタボルトにて移動する場合にも同様に適用できることはいうまでもない。
【図面の簡単な説明】
【００３５】
【図１】第１の実施の形態を示す正面図である。
【図２】図１のII−II視一部切欠断面図である。
【図３】図２のIII −III 視拡大側面図である。
【図４】第２の実施の形態を示す要部拡大図である。
【図５】第３の実施の形態を示す要部拡大図である。
【図６】第４の実施の形態を示す要部拡大図である。
【図７】第５の実施の形態を示す要部拡大図である。
【符号の説明】
【００３６】
４，５                    プーリ
６                        無端ベルト
８，８′                  アジャスタブラケット
１０                      ガイド孔
１３，１３′              ボルト挿通部
１４                      ボルト孔
１５                      アジャスタボルト
１７，１７′              屈曲部
１８                      抜き孔
【図１】
2005344812.tif 000003
【図２】
2005344812.tif 000004
【図３】
2005344812.tif 000005
【図４】
2005344812.tif 000006
【図５】
2005344812.tif 000007
【図６】
2005344812.tif 000008
【図７】
2005344812.tif 000009